(57)【要約】【課題】簡単な構造で、製造費を低減できる衣類ケースにおけるハンガーパイプの支持構造を提供する。【解決手段】ハンガーパイプの支持構造は、天部と前部の上側を開閉可能となしその両側壁２にそれぞれ二つずつの透孔１０を設けた段ボール製のボックス体７と、前記各透孔１０に対応位置する二つの挿通孔８を有し前記両側壁２内面に固定する各補強片９と、前記挿通孔８及び前記透孔１０に挿通し得るようなした紐材１１と、前記両側壁２間の距離に対応した長さを有する紙管１２とからなり、二つ折りした状態の紐材１１の各先端を一方の側壁２に設けた補強片９の前記各挿通孔８及び対応位置する各透孔１０に前記一方の側壁２の外側から内側に向けて挿通した後に、前記紙管１２に挿通し、さらに他方の補強片９の各挿通孔８及び対応位置する各透孔１０に前記他方の側壁２の内側から外側に向けて挿通してボックス体７外側に引き出し、結び合わせるように構成する。【選択図】図２
0003123715.tif 000002
【実用新案登録請求の範囲】
【請求項１】
少なくとも天部を開閉可能となし互いに対向する両側壁にそれぞれ設けた二つの透孔を有するボックス体と、このボックス体の前記両側壁に固定し前記透孔と対応位置する二つの挿通孔を有する各補強部材と、前記両側壁に設けた各補強部材の前記各挿通孔及び前記両側壁に設けた各透孔に挿通し得るようなした紐材と、前記ボックス体の前記両側壁間の距離に対応した長さを有し、前記紐材を挿通するようなしたハンガーパイプとからなり、二つ折りした状態の紐材の各先端を、一方の側壁に設けた補強部材の前記各挿通孔及び対応位置する前記各透孔にそれぞれ、前記一方の側壁外側から内側に向けて挿通した後に、前記ハンガーパイプに挿通し、さらに、他方の側壁に設けた補強部材の各挿通孔及び対応位置する前記各透孔にそれぞれ、前記他方の側壁内側から外側に向けて挿通し、ボックス体外側で互いを結び合わせて、ハンガーパイプをボックス体内に支持するように構成したことを特徴とする衣類ケースにおけるハンガーパイプの支持構造。
【考案の詳細な説明】
【技術分野】
【０００１】
本願考案は、段ボールなどのボックス体の内側上部にハンガーに掛けた衣服を吊るすハンガーパイプを設けた衣類ケースに係り、特に、ハンガーパイプの支持構造に関する。
【背景技術】
【０００２】
従来の段ボールなどで構成される衣類ケースにおけるハンガーパイプの支持構造は、ハンガーパイプ両端を金具などでボックス体の両側壁に固定するもの、あるいは蓋体の折り曲げた縁部にハンガー孔を設け、前記蓋体の折り曲げ縁部をボックス体の両側壁に設けた支持部材により支持するというもの（特許文献１参照）がある。
【特許文献１】特開平０９−２６７８７８号公報
【考案の開示】
【考案が解決しようとする課題】
【０００３】
しかしながら、上記いずれのハンガー支持構造も構造的に複雑であって、製造費が高いという問題があった。本考案は、これら問題を解消することを課題とし、該課題を解決した衣類ケースにおけるハンガーパイプの支持構造を提供することを目的とする。
【課題を解決するための手段】
【０００４】
本考案は、上記目的を達成するために、少なくとも天部を開閉可能となし互いに対向する両側壁にそれぞれ設けた二つの透孔を有するボックス体と、このボックス体の前記両側壁に固定し前記透孔と対応位置する二つの挿通孔を有する各補強部材と、前記両側壁に設けた各補強部材の前記各挿通孔及び前記両側壁に設けた各透孔に挿通し得るようなした紐材と、前記ボックス体の前記両側壁間の距離に対応した長さを有し、前記紐材を挿通するようなしたハンガーパイプとからなり、二つ折りした状態の紐材の各先端を、一方の側壁に設けた補強部材の前記各挿通孔及び対応位置する前記各透孔にそれぞれ、前記一方の側壁外側から内側に向けて挿通した後に、前記ハンガーパイプに挿通し、さらに、他方の側壁に設けた補強部材の各挿通孔及び対応位置する前記各透孔にそれぞれ、前記他方の側壁内側から外側に向けて挿通し、ボックス体外側で互いを結び合わせて、ハンガーパイプをボックス体内に支持するように構成したものである。
【考案の効果】
【０００５】
本考案は、構造が簡単で製造費が安いうえ、ボックス体へのハンガーパイプの取り付け及び取り外しが容易であるという効果を奏する。
【考案を実施するための最良の形態】
【０００６】
次に、本考案の好適な実施形態を添付図面の図１〜図５に基づいて詳細に説明する。ここにおいて、図１はハンガーパイプを取り付ける前の状態を示す衣類ケースの斜視図、図２はハンガーパイプの取り付け途中の状態を示す衣類ケースの斜視図、図３は衣類を収納した状態を示す衣類ケースの斜視図、図４はボックス体の補強部材部分の横断面図、図５はハンガーパイプたる紙管の断面図である。
【０００７】
図１〜図５に示すように、衣類ケース１は、両側壁２，２、後壁３、前壁４、天部の後側半分を開閉する後蓋５、天部の前側半分及び前部の上半分を開閉する前蓋６を有する段ボール製の組み立て及び分解可能な直方体形状のボックス体７と、このボックス体７の前記両側壁２，２の各上部内面に接着固定する、二つの挿通孔８，８をそれぞれ有する補強部材である各補強片９，９と、前記各補強片９，９を前記両側壁２，２の内面に対応位置して接着固定した後に、前記各補強片９，９の前記各二つの挿通孔８，８に重なるよう前記両側壁２，２にそれぞれ穿設した各二つの透孔１０，１０に挿通し得るようなした紐材１１と、前記ボックス体７の互いに対向する前記両側壁２，２間の距離に対応した長さを有する円筒形状のハンガーパイプたる紙管１２とからなる。なお、図１及び図２中、符号１３，１３は両側壁２，２上端に連接した外蓋である。
【０００８】
図１〜図３によって衣類ケース１への紙管１２の取り付け方を説明する。まず、図２のように段ボール製のボックス体７に、二つ折りした状態の紐材１１の各先端を一方の側壁２の内面に接着固定した補強片９の各挿通孔８，８及び前記側壁２の各透孔１０，１０に外側から内側に向けてそれぞれ挿通する。次に、図２に示すように、ボックス体７の内側位置において前記紐材１１の各先端を、前記紙管１２に挿通し、さらに、他方の側壁２の内面に接着固定した補強片９の各挿通孔８，８及び前記側壁２の前記各透孔１０，１０に内側から外側に向けて挿通し、ボックス体７外側に引き出す。続いて、前記紐材１１の先端部を結び合わせて、紙管１２のボックス体７への取り付けが完了する。この時、紙管１２の長さがボックス体７の両側壁２，２の間隔とほぼ一致しているので、前記紙管１２は前記ボックス体７の補強材としても機能する。また、このように取り付けた紙管１２の取り外しは、前記取り付け作業とは逆に、紐材１１の各先端を、結び状態から解き、前記他方の側壁２の補強片９の挿通孔８，８及び透孔１０，１０から抜き、さらに紙管１２から抜き、最後に一方の側壁２の補強片９の挿通孔８，８及び透孔１０，１０から抜くことによってなされる。このように、衣類ケース１のボックス体７に対する紙管１２の取り付け及び取り外しは容易に行うことが可能である。
【０００９】
また、衣類を収納するときには、両外蓋１３，１３、前蓋６、後蓋５を開放状態（図２参照）とし、衣類を掛けたハンガー（図示せず）を紙管１２に掛けた後に、後蓋５、前蓋６、両内蓋１３，１３を閉じる。さらに、この衣類を収納した衣類ケース１を運搬するときなどには、図３に示すように、両外蓋１３，１３の互いに接した先端縁部をテープで留める。一方、衣類を収納していない衣類ケース１は、紐材１１をゆるめれば、紙管１２を取り外すことなく折り畳むことが可能である。
【００１０】
なお、本考案は、上記実施形態になんら限定されるものではなく、例えば、ハンガーパイプたる紙管２は、断面円形状ではなく、断面多角形状に代えてもよいほか、紙製でなく樹脂製などであってもよい。また、前蓋６は前壁４全体を含むものであってもよい。さらに、補強部材は、上記実施形態のように側壁２毎に一枚の補強片９で構成するのではなく、ボックス体７の側壁２の内外面に接着固定するようなした二枚の補強片９，９で構成してもよい。
【図面の簡単な説明】
【００１１】
【図１】ハンガーパイプを取り付ける前の状態を示す衣類ケースの斜視図。
【図２】ハンガーパイプの取り付け途中の状態を示す衣類ケースの斜視図。
【図３】衣類を収納し状態を示す衣類ケースの斜視図。
【図４】ボックス体の補強部材部分の横断面図。
【図５】ハンガーパイプたる紙管の断面図。
【符号の説明】
【００１２】
１      衣類ケース
２    側壁
３    後壁
４    前壁
５    後蓋
６    前蓋
７    ボックス体
８    挿通孔
９    補強片
１０    透孔
１１    紐材
１２    紙管
１３    外蓋
【図１】
0003123715.tif 000003
【図２】
0003123715.tif 000004
【図３】
0003123715.tif 000005
【図４】
0003123715.tif 000006
【図５】
0003123715.tif 000007